(57)【特許請求の範囲】
【請求項１】
含油排水からなる原水の供給経路に油分を浮上分離させる分離槽を配置し、該分離槽の下流に、中空糸膜または平膜からなる膜分離モジュールを槽内に配置すると共に該膜分離モジュールの下方に粗大気泡と微細気泡を発生させる散気装置を設置した膜濾過槽を配置し、
前記分離槽から前記膜濾過槽へ循環ポンプを介設した供給管と、該膜濾過槽から前記分離槽へ前記油分および前記微細気泡を含む未濾過液を循環させる返送管を設け、該返送管は膜濾過槽の上部領域と前記分離槽の上部領域とに連通し、該返送管から前記分離槽に供給される前記微細気泡に該分離槽内の油分を付着させて浮上させて油分を分離することを特徴とする含油排水処理システム。
【請求項２】
前記各膜分離モジュールの外周または複数の膜分離モジュールの外周に隙間をあけてガイド筒を配置し、該ガイド筒の下端開口から気泡および原水を流入させると共に、上端開口から流出させる構成としている請求項１に記載の含油排水処理システム。
【請求項３】
前記膜濾過槽内に配置する膜分離モジュールの分離膜は中空糸膜または平膜のいずれかとし、該分離膜はＰＴＦＥ（ポリテトラフルオロエチレン）、ＰＳＦ（ポリスルホン）およびＰＥＳ（ポリエーテルスルホン）から選択される多孔質膜からなる請求項１または請求項２に記載の含油排水処理システム。
【請求項４】
前記分離槽と膜濾過槽とを連結する前記供給管は、前記分離槽の上下中間領域に連通させると共に前記膜濾過槽の下部に連通させている請求項１乃至請求項３のいずれか１項に記載の含油排水処理システム。
【請求項５】
前記膜濾過槽内に配置する前記散気装置は、前記膜分離モジュールの下方に配管される散気管に空気源から圧力空気を送給し、該散気管に大径穴と小径穴を設け、大径穴から発生させる前記粗大気泡で膜分離モジュールの中空糸膜または平膜に振動を付与する一方、前記小径穴から発生させる前記微細気泡を前記返送管へ導出させている請求項１乃至請求項４のいずれか１項に記載の含油排水処理システム。
【請求項６】
前記分離槽の液面位置にスカムスキマーをモータの駆動軸に連結して配置し、浮上する油分をスカムスキマーで集めて排出すると共に、前記モータの駆動軸の下端に汚泥掻き寄せ具を連結し、該汚泥掻き寄せ具を前記分離槽の底面上に配置し、沈降する汚泥を掻き集めて排出する構成としている請求項１乃至請求項５のいずれか１項に記載の含油排水処理システム。
【発明の詳細な説明】
【技術分野】
【０００１】
本発明は、含油排水処理システムに関し、詳しくは、浮上と沈降による前工程の分離と、後工程の膜濾過とを組み合わせた含油排水処理システムにおいて、前後工程の機能を組み合わせて効率的な処理を図るものである。
【背景技術】
【０００２】
従来から含油排水から油分を除去する処理装置および処理方法が種々提供されている。該含油排水処理として、一般的に凝集沈殿・加圧浮上等による前処理を経た後、濾過や活性炭処理等の後工程処理がなされている。しかしながら、これらの複数の排水処理工程を連続させた処理システムでは、後処理になればなる程、処理水量が低下し、大量に排出される含油排水の処理が追いつかなくなる問題があり、大量排出される含油排水処理においては精密な分離手段は、その処理速度の点から不適となっている。
【０００３】
そこで、本出願人は特開２０１０−３６１８３号公報で凝集沈殿・加圧浮上等による前処理後の処理で、膜濾過により油分を除去する中空糸膜からなる膜分離装置を提供している。該膜分離装置はＰＴＦＥ、ＰＳＦ、ＰＥＳから選択される耐アルカリ性を備えた中空糸膜を用いており、該中空糸膜は化学的および物理的に強靭な膜であるため、効率的な洗浄が行え、処理速度を速めて大量の排水処理が可能となる利点を有する。
【先行技術文献】
【特許文献】
【０００４】
【特許文献１】特開２０１０−３６１８３号公報
【発明の概要】
【発明が解決しようとする課題】
【０００５】
しかし、特許文献１の含油排水処理装置では、前工程の凝集沈殿、浮上分離、砂濾過の装置と後工程の膜濾過による膜分離装置とを配管を介して連続させているが、各装置内で行われる操作はそれぞれ独立で、前後工程の操作および設備は組み合わされていない。よって、設置面積が大きくなり、システム全体としての効率化の観点からまだ改善すべきところがある。
【０００６】
本発明は前記問題に鑑みてなされたもので、精密濾過処理を行う後工程の膜濾過装置と浮上／沈降による前工程の分離装置とを、操作上および装置上で効率良く組み合わせて、操作および装置の簡素化を図ることを課題としている。
【課題を解決するための手段】
【０００７】
前記課題を解決するため、本発明は、含油排水からなる原水の供給経路に油分を浮上分離させる分離槽を配置し、該分離槽の下流に、中空糸膜または平膜からなる膜分離モジュールを槽内に配置すると共に該膜分離モジュールの下方に粗大気泡と微細気泡を発生させる散気装置を設置した膜濾過槽を配置し、
前記分離槽から前記膜濾過槽へ循環ポンプを介設した供給管と、該膜濾過槽から前記分離槽へ前記油分および前記微細気泡を含む未濾過液を循環させる返送管を設け、該返送管は膜濾過槽の上部領域と前記分離槽の上部領域とに連通し、該返送管から前記分離槽に供給される前記微細気泡に該分離槽内の油分を付着させて浮上させて油分を分離することを特徴とする含油排水処理システムを提供している。
【０００８】
前記のように、膜濾過槽内の膜分離モジュールの下方に粗大気泡と微細気泡を発生させる散気装置を配置し、散気用のエアーのバブリングにより前記気泡を発生させている。該水中バブリングにより粗大気泡が分離膜に振動を付与すると同時に気泡上昇流を発生させ、分離膜表面に付着する油分を含む異物を剥離して、目詰まりを低減して膜濾過の流量低下を防止している。また、分離膜表面で分離された微小油分がその継続した分離によるそれ自体の堆積により、これが会合して大きな油滴となり膜濾過槽内で浮上する。また、循環ポンプによる流速は膜面に堆積した油分や固形分を剥離する効果をもたらす。さらに、該膜濾過槽から分離槽へ返送管を設けているため、浮上した油分が該返送管により分離槽に送液され、分離槽中で浮上油となり分離可能となる。一方、微細気泡を含んだ未濾過液を返送管から分離槽に流入させ、該微細気泡を分離槽の上部領域に供給することで、微細気泡の上昇流を発生させ分離槽内の油分を微細気泡に付着させて浮上させ、分離槽中で油分を効率よく分離することができる。このとき未濾過液は分離槽内への供給に先立ち、新規に供給される原水と混合されると、より効率よく分離することができる。
このように、分離槽と膜濾過槽とを返送管で連結して、後工程の膜濾過槽内の散気装置で発生させる粗大気泡で膜の目詰まりを低減するとともに微細気泡を前工程の分離槽へ返送し、前後工程の設備および操作を機能的に組み合わせて、プロセスの単純化、設置面積の減少を図ることができる。
【０００９】
前記分離槽と膜濾過槽とを連結する前記供給管は、前記分離槽の上下中間領域に連通させると共に前記膜濾過槽の下部に連通させ、前記返送管は前記のように膜濾過槽の上部領域と分離槽の上部領域に連通している。分離槽から膜濾過槽へ供給される循環水の一部は膜濾過された処理水となり、残りが未濾過水となり分離槽へ返送される。循環水の流量は多いほど、膜濾過槽の膜の目詰まりを低減する効果が大きいが、その場合、一方では分離槽へ返送される未濾過液の流量が大きくなる。その結果、分離槽の液面が大きく変動して浮上油分や沈降する凝集沈殿物が撹拌され分離しにくくなることがある。
【００１０】
よって、前記各膜分離モジュールの外周または複数の膜分離モジュールの外周に隙間をあけてガイド筒を配置し、該ガイド筒の下端開口から気泡および原水を流入させると共に、上端開口から流出させる構成とすることが好ましい。
前記構成とすると、ガイド筒内において気泡上昇を効率化でき、気泡の散逸を防ぐことができる。その結果、膜への振動効果等がより効果的になり、その分循環流量すなわち膜濾過槽から分離槽への返送流量も低減でき、循環ポンプによる処理水の循環量を低減することが可能となり、かつ、分離槽の液の乱れを防止でき、必要な分離槽の断面積を小さくしても、浮上油、沈殿物の除去を容易にすることができるため、分離槽のイニシャルコストを低減させることも可能になる。
【００１１】
分離槽内では貯溜する液面付近に油分および比重の小さい異物が浮上し、分離槽内の底部に比重の大きな汚泥が堆積するため、多量の油分や異物が存在しない上下中間領域に前記供給管の原水取出口を設けることが好ましい。また、膜濾過槽内では水中を上昇する気泡を分離膜に作用させた後に取り出すことが好ましいため、膜濾過槽の上部側に取出口を設けている。
【００１２】
前記膜濾過槽内に配置する前記散気装置は、前記膜分離モジュールの下方に配管される散気管に空気源から圧力空気を送給し、該散気管の噴射穴から発生させる気泡で膜分離モジュールの中空糸膜または平膜に振動を付与する。気泡中に微小な微細気泡も存在しており、これが槽内の微小油分を浮上させる効果を担っている。より小さい径の穴を有する微細気泡散気装置を別に設け、意識的に微細気泡を発生させ、膜濾過槽内の微小油分を浮上させるとともに前記返送管へ導出させるようにしてもよい。また、１つの散気管に粗大気泡用の穴と、微細気泡用の穴を設けてもよい。
【００１３】
前記散気管に圧力空気を供給する前記空気源は、ブロアまたはコンプレッサーとしていることが好ましい。
【００１４】
また、前記分離槽の液面位置にスカムスキマーをモータの駆動軸に連結して配置し、浮上する油分をスカムスキマーで集めて排出すると共に、前記モータの駆動軸の下端に汚泥掻き寄せ具を連結し、該汚泥掻き寄せ具を前記分離槽の底面上に配置し、沈降する汚泥を掻き集めて排出する構成とすることが好ましい。
【００１５】
前記膜濾過槽内に配置する膜分離モジュールの濾過膜として中空糸膜または平膜のいずれでも良いが、特に膜の振動による剥離効果を出すためには中空糸膜がよい。平膜でもフレキシブルな平膜なら好適に利用できる。また膜の材質面では、ＰＴＦＥ（ポリテトラフルオロエチレン）、ＰＳＦ（ポリスルホン）およびＰＥＳ（ポリエーテルスルホン）から選択される耐アルカリ性を備えた多孔質膜が好適に用いられ、中でも処理流量を維持するために行う散気による振動あるいは逆洗による圧力に耐えうる強度を有するものが望ましい。具体的には抗張力は３０Ｎ以上出ることが望ましい。
【００１６】
ＰＴＦＥ、ＰＳＦ、ＰＥＳから選択される多孔質分離膜の中空糸膜または平膜を用いた膜分離モジュールは、極めて優れた非水溶性油分除去性能と耐薬品性、特に、耐アルカリ性を備え、かつ耐久（正常な濾過性能を発揮する使用可能期間）とを兼ね備える。その結果、非水溶性油分含有量を低減できる高性能濾過を実現しながら、膜面に付着した非水溶性油分をアルカリ性水溶液による化学洗浄により溶解除去して繰り返し再生が可能であるので、高性能濾過を長期に渡り持続させることができる。
【００１７】
本発明の含油排水処理システムは油田随伴水用、油分を含有する工場排水等、いずれの分野の含油排水処理システムとしても用いることができる。また海水を淡水化する際、海水中に油分が含まれる場合などに特に有効である。例えば震災に伴う津波の被害などで原子力発電所が破壊された際に、放射性排水が発生し、その処理が必要となる。その場合、放射性物質の除去に先立ち、前処理として海水中の油分の除去が必要となるが、その際にも精度のよい油分除去を安定して行うことができ、放射性物質の吸着等後処理の効率を上げることができる。
【発明の効果】
【００１８】
前述したように、本発明の含油排水処理システムによれば、上流側の分離槽と下流側の膜濾過槽との間に返送管を設置し、膜濾過槽に存在する膜分離モジュールに循環流を供給し、かつ膜分離モジュールの下部より散気による気泡上昇流および振動による膜面の浄化作用を付加させることにより、膜の安定したろ過能力を維持し、膜濾過槽から分離槽へ浮上油分を移送させることで膜分離槽内の油分を除去する。かつ、膜濾過槽から気泡を含む非濾過液を分離槽に循環させているため、分離槽内に散気装置を設けなくとも分離槽内に気泡を存在させ、その気泡の上昇時に油分を気泡に付着させて効率良く浮上分離することができる。このように、分離槽と膜濾過槽とを返送管および前記供給管を介して連結して組み合わせることで、プロセスを単純化し、設置面積を減少できる。
特に、膜濾過槽内で発生させる粗大気泡で分離膜を振動させることにより、膜表面に付着する異物を剥離させて濾過性能の低下を抑制でき、かつ、微細気泡を分離槽に循環させることで油分の浮上分離に有効に寄与させることができる。
また、比重による前記分離槽の下流に膜濾過槽を配置し、分離膜を用いて膜濾過を行うため、処理水質を向上できると共に、運転の安定性を高めることができる。
【図面の簡単な説明】
【００１９】
【図１】本発明の実施形態の含油排水処理システムの全体図である。
【図２】図１に示す膜濾過槽の拡大図である。
【図３】散気装置の変形例の要部拡大図である。
【図４】（Ａ）（Ｂ）は膜分離モジュールの第１変形例を示す図面である。
【図５】膜分離モジュールの第２変形例を示す図面である。
【発明を実施するための形態】
【００２０】
本発明の実施形態を図面を参照して説明する。
図１および図２に本発明の実施形態を示す。
図１に示す全体構成図において、１は異物を浮上および沈降させて分離する分離槽、２は異物を膜濾過する膜濾過槽である。
膜濾過槽２内に中空糸膜モジュール（膜分離モジュール）３を収容すると共に、該中空糸膜モジュール３の下部に気泡を発生させる散気装置４を収容している。
前記分離槽１の上下中間領域と膜濾過槽２の下部領域とをポンプ５を介設した供給管６で連続すると共に、膜濾過槽２の上部領域と分離槽１の上部領域とを連通する返送管７を設け、該返送管７から気泡を含む非濾過液を分離槽１へ循環させている。
【００２１】
前記分離槽１へ供給される含油排水からなる原水Ｗ１は、一旦、薬品混和槽８で貯溜し、該薬品混和槽８で薬品注入装置９から必要に応じｐＨ調整剤、吸着剤、凝集剤等を注入している。薬品混和槽８から液位調整槽１０へ送給し、該液位調整槽１０から前記分離槽１へ原水Ｗ１を原水供給管１１を通して供給している。
【００２２】
分離槽１は油分や異物を比重に応じて液面側へ浮上させると共に、底部側へ沈降させて分離する槽としている。
分離槽１の上部へ浮上した異物を集めるスカムスキマー１２を液面に配置している。該スカムスキマー１２は、上方に搭載するモータ１３から垂下した駆動軸１３ａにスカムスキマー１２を固定して、モータ１３により水平回転させて浮上した油分を含む異物を集めるようにしている。また、駆動軸１３ａの下端を分離槽１の円錐形状に突出させた底壁１ａに位置させ、該底壁１ａに沿って配置する汚泥掻き寄せ具１４に連結し、該汚泥掻き寄せ具１４を回転駆動させて底壁１ａの上面側に沈降する汚泥を中央最下端部に掻き寄せるようにしている。
【００２３】
前記スカムスキマー１２の下面側にスカム排出管１５を開口させて配管すると共に、分離槽１の最下端部に汚泥排出管１６を開口させて配管し、これらスカム排出管１５および汚泥排出管１６の他端をスカム・汚泥受槽１７に連結している。
【００２４】
前記液位調整槽１０から原水Ｗ１を供給する前記原水供給管１１は分離槽１のスカムスキマー１２の下面側の位置に開口させている。該原水供給管１１に前記返送管７を連通し、返送管７を通して循環する気泡を含む非濾過液Ｗ３と原水Ｗ１とを合流させて、分離槽１の上部領域に供給している。このように、分離槽１へ気泡を供給することで油分を気泡に付着させて油分を浮上させやすくし、スカムスキマー１２に油分を付着させやすくしている。なお、原水供給管１１に返送管７を合流させずに、別々に分離槽１に接続してもよい。
【００２５】
前記分離槽１には、原水供給管１１を連結した側壁と反対側の側壁で、かつ、前記スカムスキマー１２と汚泥掻き寄せ具１４を配置した上下位置を除く中間領域に、前記供給管６の取出口を開口している。供給管６にポンプ５を介設しているため、分離槽１内の分離液Ｗ２を供給管６に吸引し、膜濾過槽２の側壁下部に設けた開口から膜濾過槽２内に供給している。本実施形態では前記ポンプ５の吐出圧力は５０〜３００ｋＰａとしている。
【００２６】
膜濾過槽２は空気弁等を設けた浸漬槽とし、その内部に中空糸膜モジュール３を収容すると共に該中空糸膜モジュール３の下部に気泡を発生させる散気装置４を収容し、前記供給管６から供給する原水Ｗ１内に中空糸膜モジュール３および散気装置４を浸漬している。
中空糸膜モジュール３は、中空糸膜２０の内側から原水Ｗ１を吸引することにより中空糸膜２０の外側から内側に向けて原水Ｗ１を透過させる浸漬型のモジュールとしている。
【００２７】
中空糸膜モジュール３は中空糸膜２０を複数本（本実施形態では３５００本）束ねた集束体２１を備え、各中空糸膜２０の下端開口を固定材４０で閉鎖している。中空糸膜２０の上端は開口状態として、固定材２３で固定し、固定材２３に上部キャップ２４を取り付けている。該固定材２３と前記固定材４０とを支持ロッド４１で連結し、かつ、固定材４０に下向きに突出するスカート材４２を固定している。
前記上部キャップ２４の内部を各中空糸膜２０の中空部と連通させた導出口を設け、該導出口を濾過済み液取出配管２５と接続している。該濾過済み液取出配管２５に吸引ポンプ２６を介設して、濾過済み液Ｗ２を後処理槽２７へ導出している。該後処理槽２７として活性炭吸着、生物処理・沈殿処理、逆浸透膜処理等を付加する場合もある。
また、前記膜濾過槽２の上壁にエアベント管２８を取り付けている。かつ、膜濾過槽２の側壁上部に、濾過されなかった非処理液の排出口を設け、該排出口を前記返送管７と連通している。
【００２８】
中空糸膜モジュール３の下部に配置する前記散気装置４は、ブロア３１と接続した散気用空気導入管３０を備えている。該散気用空気導入管３０に設けた噴射穴３２を中空糸膜モジュール３の下方に配置し、噴射穴３２から前記スカート材４２内にエアが噴射されるようにしている。該噴射穴３２は同一径のものを複数設けている。１つの噴射穴３２から噴射されるエアにより、粗大気泡Ｋ１といくらかの微細気泡Ｋ２が発生する。
なお、図３の変形例に示すように、噴射穴３２は粗大気泡を発生させる大径穴３２ａと微細気泡を発生させる小径穴３２ｂを設けてもよい。該小径穴３２ｂを形成するために、例えば、疎水性多孔質膜のパイプ、膜材などが好適に用いられる。
【００２９】
散気装置４は、濾過運転時に常時下方から散気し、集束体２１の各中空糸膜２０に向けて散気し、粗大気泡Ｋ１と微細気泡Ｋ２を原水Ｗ１中に上向きに発生させている。これら気泡のうち、主として粗大気泡Ｋ１は中空糸膜２０を振動させ、該中空糸膜２０の膜表面に付着した異物を剥離して、中空糸膜２０に目詰まりを発生させないようにしている。かつ、粗大気泡Ｋ１は前記エアベント管２８により大気に放出している。一方、微細気泡Ｋ２は上方に配置した返送管７より導出させ、分離槽１に循環させるようにしている。
【００３０】
本実施形態で用いる前記中空糸膜２０は、多孔質延伸ＰＴＦＥ製のチューブからなる支持層と、該支持層の外表面に多孔質膜延伸ＰＴＦＥシートからなる濾過層を備えた多孔質複層中空糸膜からなる。さらに親水性高分子等で親水化したものを用いることができる。  前記濾過層の外周面に多数存在する各空孔の平均最大長さは、支持層中に多数存在する繊維状骨格により囲まれた各空孔の平均最大長さより小さくしている。具体的には、濾過層の空孔の平均長さを、前記支持層の空孔の平均長さの１％〜３０％としているのが良く、できるだけ小さくしている方が良い。これにより、外周面側から内周面側への透過性を高めることができる。
濾過層の外表面において、該外表面の全表面積に対する前記空孔の面積占有率が、画像処理で測定して、３０％〜９０％としている。空孔の最大長さが小さくても、空孔の面積占有率がある程度大きいと、流量を減らすこともなく、効率良く、濾過性能を向上することができる。
具体的には、濾過層の空孔率は３０％〜８０％、支持層の空孔率は５０％〜８５％としている。これにより、強度とのバランスを保ちながら、中空糸膜の外周面側から内周面側への透過性をさらに高めることができる。
【００３１】
前記濾過層の厚みは５μｍ〜１００μｍとしている。前記範囲より小さいと濾過層の形成が困難であり、前記範囲より大きくしても濾過性能向上への影響は望み難いためである。支持層の厚みは０．１ｍｍ〜５ｍｍとしている。これにより、軸方向、径方向、周方向のいずれにおいても良好な強度を得ることができ、内外圧や屈曲等に対する耐久性を向上することができる。なお、支持層の内径は０．３ｍｍ〜１２ｍｍとしている。
【００３２】
前記濾過層の平均空孔径は０．０１〜１μｍとしている。
また、中空糸膜２０は、中空糸膜全体で内径０．３〜１２ｍｍ、外径０．８〜１４ｍｍ、バブルポイント５０〜４００ｋＰａ、膜厚０．２〜１ｍｍ、気孔率３０〜９０％、最大許容膜間差圧は０．１〜１．０ＭＰａの耐圧性を備えたものとすることが好ましい。
【００３３】
また、中空糸膜２０は抗張力が３０Ｎ以上の強度を備えたものとしている。
なお、抗張力はＪＩＳ  Ｋ ７１６１に準拠し、試験体としては中空糸膜そのものを用いた。試験時の引張速度は１００ｍｍ／分、標線間距離は５０ｍｍとして測定した。また、該中空糸膜２０の熱変形温度は１００℃以上であるため、経年使用しても熱劣化が発生しにくいものとしている。
【００３４】
中空糸膜２０の集束体２１からなる中空糸膜モジュール３では、集束体２１における中空糸膜２０間の寸法平均値を０．５ｍｍ〜５ｍｍと比較的広くし、かつ、集束体２１の断面積に対する中空糸膜２０の充填率が２０％〜６０％としている。
【００３５】
本実施形態では、濾過運転時に、膜濾過槽２内では、常時、散気装置４から空気を噴射して粗大気泡Ｋ１と微細気泡Ｋ２を発生させている。これら気泡を槽５０内の含油排水からなる原水Ｗ１中でバブリングさせながら上昇させ、循環流を発生させている。
その際、前記のように、粗大気泡Ｋ１で中空糸膜２０を振動しつつ、中空糸膜２０の膜面に付着している非水溶性油分および固形分をふるい剥ぎ取っている。
【００３６】
微細気泡Ｋ２は濾過されなかった非濾過液の原水Ｗ１と混合されて返送管７に導出される。返送管７を原水供給管１１と合流させているため、前記微細気泡Ｋ２と濾過されなかった非濾過液Ｗ３は原水Ｗ１と混合されて分離槽１に導入される。このように、微細気泡Ｋ２が分離槽１内に導入されることで、分離槽１内で微細気泡Ｋ２に油分が付着し、油分が微細気泡Ｋ２と共に浮上しやすくなり、スカムスキマー１２で効率よく集めることができる。
【００３７】
このように、油分の浮上分離と汚泥の沈降分離とにより含油排水から油分と汚泥からなる異物を分離槽１内で分離した後に、膜濾過槽２へ原水Ｗ１を供給しているため、膜濾過槽２内に配置した中空糸膜モジュール３の中空糸膜２０の表面に付着する油分および汚泥からなる異物を低減できる。これにより中空糸膜２０の膜濾過の性能が低下せず、処理水量の低減を防止できる。かつ、膜濾過槽２に用いる散気装置４で発生させる気泡を分離槽１へ循環させて機能的に利用しているため、分離槽１における分離機能を高めることができる。さらに、分離槽に気泡を発生させる散気装置を設ける必要はないため、設備の簡素化が図れ、設置面積を縮小できる。
【００３８】
図４（Ａ）（Ｂ）に膜濾過槽２の第１変形例を示す。
膜濾過槽２に浸漬する複数の中空糸膜モジュール３にはそれぞれ、中空糸膜２０の集束体２１の外周に隙間をあけてガイド筒４５を被せている。このガイド筒４５は上下両端を開口４５ａ、４５ｂとし、下端の開口４５ｂより原水Ｗ１がガイド筒４５内部に流入して中空糸膜２０で濾過され、濾過されなかった未濾過水の原水Ｗ１が上端の開口４５ａから流出し、ガイド筒４５の外周側を下向きに流れて循環するようにしている。また、散気装置４から噴射するエアも下端の開口４５ｂからガイド筒４５内に噴射されるようにしている。
【００３９】
前記のように、ガイド筒４５内にエア及び原水Ｗ１を流入させると、原水Ｗ１の循環流量を低くしても、ガイド筒４５内、すなわち、中空糸膜２０の集束体２１の膜面付近を流れる原水Ｗ１の線速は大きくなり、中空糸膜２０の膜面に堆積した固形分、油分をより効率よく剥離させることができる。また、発生させる気泡を中空糸膜２０の表面に効率よく負荷して中空糸膜を揺らすことができ、エアの供給量を低減してラニングコストを低下できる。さらに、膜濾過槽２から分離槽１へ返送される未処理液の流量が少なくなるので、速やかな沈降を実現するために必要な分離槽の断面積を小さくでき、イニシャルコストを低減させることも可能になる。
【００４０】
図５に第２変形例を示す。
第２変形例では、膜濾過槽２内に浸漬する複数の中空糸膜モジュール３は複数組（実施形態では縦横並列した６個の中空糸膜モジュール３）を１つのガイド筒４８で覆っている。このように、中空糸膜モジュール３を比較的密に配置して、１つのガイド筒４８で覆うと、膜濾過槽２内に高密度に中空糸膜モジュールを配置することができる。
【００４１】
前記実施形態および変形例では膜濾過槽２内に設置する中空糸膜モジュール３として中空糸膜の集束体を用いているが、中空糸膜に変えて平膜を用いてもよい。該平膜を用いた場合も、その下方に前記実施形態と同様に気泡を発生させる散気装置を配置している。
【符号の説明】
【００４２】
１  分離槽
２  膜濾過槽
３  中空糸膜モジュール
４  散気装置
６  供給管
７  返送管
Ｋ１  粗大気泡
Ｋ２  微細気泡
Ｗ１  原水
Ｗ２  濾過済み液
【図１】
0005564021.tif 000002
【図２】
0005564021.tif 000003
【図３】
0005564021.tif 000004
【図４】
0005564021.tif 000005
【図５】
0005564021.tif 000006